(57)【要約】【課題】ロック機構が設けられる住宅用ドアの内面に、電動駆動手段を収容するケーシングの一面が当接され、住宅用ドアの内面に当接しつつ住宅用ドア側に固定される平板状のブラケット板に、ケーシングの一面の一部がブラケット板で覆われるようにしてケーシングが取付けられ、電動駆動手段の一部である伝動軸を貫通させる透孔がブラケット板に設けられる住宅用ドアの電気錠装置において、ケーシング内に結露や雨水が浸入するのを防止する。【解決手段】ブラケット板４８よりも上方でケーシング１７の上面に開口するとともにブラケット板４８の左右両側でケーシング１７の側面に開口する溝６０，６１が、ケーシング１７の一面１７ａに形成される。【選択図】        図５
2014084696.tif 000002
【特許請求の範囲】
【請求項１】
施錠状態および解錠状態を切換えるロック機構（１２）が設けられる住宅用ドア（Ｄ）の内面に、電動モータ（２４）ならびに該電動モータ（２４）が発揮する動力を前記ロック機構（１２）に伝達するための伝動軸（３８）を有する電動駆動手段（１６）を収容するケーシング（１７）の一面（１７ａ）が当接され、前記住宅用ドア（Ｄ）の内面に当接しつつ前記住宅用ドア（Ｄ）側に固定される平板状のブラケット板（４８）に、前記ケーシング（１７）の前記一面（１７ａ）の一部が前記ブラケット板（４８）で覆われるようにして前記ケーシング（１７）が取付けられ、前記伝動軸（３８）を貫通させる透孔（５４）が前記ブラケット板（４８）に設けられる住宅用ドアの電気錠装置において、前記住宅用ドア（Ｄ）の内面に当接する前記ブラケット板（４８）よりも上方で前記ケーシング（１７）の上面に開口するとともに前記ブラケット板（４８）の左右両側で前記ケーシング（１７）の側面に開口する溝（６０，６１）が、前記ケーシング（１７）の前記一面（１７ａ）に形成されることを特徴とする住宅用ドアの電気錠装置。
【請求項２】
一対の前記溝（６０，６１）が、前記ブラケット板（４８）を上下から挟むようにして前記ケーシング（１７）の前記一面（１７ａ）に形成されることを特徴とする請求項１記載の住宅用ドアの電気錠装置。
【発明の詳細な説明】
【技術分野】
【０００１】
本発明は、施錠状態および解錠状態を切換えるロック機構が設けられる住宅用ドアの内面に、電動モータならびに該電動モータが発揮する動力を前記ロック機構に伝達するための伝動軸を有する電動駆動手段を収容するケーシングの一面が当接され、前記住宅用ドアの内面に当接しつつ前記住宅用ドア側に固定される平板状のブラケット板に、前記ケーシングの前記一面の一部が前記ブラケット板で覆われるようにして前記ケーシングが取付けられ、前記伝動軸を貫通させる透孔が前記ブラケット板に設けられる住宅用ドアの電気錠装置に関する。
【背景技術】
【０００２】
メカニカルキーによる機械的な操作で施錠および解錠を切換可能とした住宅用ドアのロック機構に、携帯器による遠隔操作でも施錠および解錠を切換可能とするための電動駆動手段を後付けで住宅用ドアに取付けて電気錠装置とすることが従来から知られており、たとえば特許文献１で開示されたものでは、住宅用ドアの内面に当接して住宅用ドア側に固定されるブラケット板に、電動駆動手段を収容して住宅用ドアの内面に一面を当接させるケーシングが、前記ブラケット板でケーシングの一面が覆われるようにして取付けられ、ロック機構側に電動モータの動力を伝達する伝動軸がブラケット板の透孔に挿通されている。
【先行技術文献】
【特許文献】
【０００３】
【特許文献２】特開２０１１−１７２４２号公報
【発明の概要】
【発明が解決しようとする課題】
【０００４】
ところで、上記特許文献１で開示されるように、住宅用ドアの内面に当接するケーシングの一面に、電動駆動手段の伝動軸を挿通させる透孔を有するブラケット板を取付けた構造では、住宅用ドアの内面に生じた結露や雨水が、ケーシングの一面および前記ブラケット板間の間隙から前記透孔を経てケーシング内に浸入し、電動駆動手段に悪影響を及ぼす可能性がある。
【０００５】
本発明は、かかる事情に鑑みてなされたものであり、住宅用ドアの内面からケーシング内に結露や雨水が浸入するのを防止し得るようにした住宅用ドアの電気錠装置を提供することを目的とする。
【課題を解決するための手段】
【０００６】
上記目的を達成するために、本発明は、施錠状態および解錠状態を切換えるロック機構が設けられる住宅用ドアの内面に、電動モータならびに該電動モータが発揮する動力を前記ロック機構に伝達するための伝動軸を有する電動駆動手段を収容するケーシングの一面が当接され、前記住宅用ドアの内面に当接しつつ前記住宅用ドア側に固定される平板状のブラケット板に、前記ケーシングの前記一面の一部が前記ブラケット板で覆われるようにして前記ケーシングが取付けられ、前記伝動軸を貫通させる透孔が前記ブラケット板に設けられる住宅用ドアの電気錠装置において、前記住宅用ドアの内面に当接する前記ブラケット板よりも上方で前記ケーシングの上面に開口するとともに前記ブラケット板の左右両側で前記ケーシングの側面に開口する溝が、前記ケーシングの前記一面に形成されることを第１の特徴とする。
【０００７】
また本発明は、第１の特徴の構成に加えて、一対の前記溝が、前記ブラケット板を上下から挟むようにして前記ケーシングの前記一面に形成されることを第２の特徴とする。
【発明の効果】
【０００８】
本発明の第１の特徴によれば、住宅用ドアの内面に当接して住宅用ドア側に固定されるブラケット板よりも上方でケーシングの上面に開口するとともにブラケット板の左右両側でケーシングの側面に開口する溝が、ケーシングの一面に形成されるので、ケーシングの上方からドアの内面を伝ってきた結露や雨水がケーシングおよび住宅用ドア間に達しても、その結露や雨水はブラケット板の上方でケーシングの一面の溝によってケーシングの左右両側に案内されることになり、結露や雨水がケーシングおよびブラケット板間の間隙もしくはブラケット板の透孔からケーシング内に浸入することはなく、電動駆動手段に結露や雨水による悪影響が及ぶことはない。また溝内を空気が流通することによって電動駆動手段が発する熱を逃がす放熱効果も期待することができる。
【０００９】
また本発明の第２の特徴によれば、ブラケット板を上下から挟むようにして一対の溝が配置されるので、右開き用の住宅用ドアおよび左開き用の住宅用ドアのいずれにも対応させることができる。
【図面の簡単な説明】
【００１０】
【図１】住宅用ドアの一部を示す斜視図である。
【図２】電動駆動装置の構成を示すブロック図である。
【図３】図１の３−３線断面図である。
【図４】ケーシング、ブラケット板および支持部材の分解斜視図である。
【図５】ケーシングを住宅用ドア側から見た正面図である。
【図６】図５の６−６線拡大断面図である。
【発明を実施するための形態】
【００１１】
以下、本発明の実施の形態について図１〜図６を参照しながら説明すると、先ず図１において、住宅用ドアＤには、外部からの機械的な操作で施錠および解錠を切換可能としたロック機構１２が設けられており、このロック機構１２は、外部からの操作を可能としたシリンダ錠１３と、該シリンダ錠１３が備えるロータ（図示せず）の回動に応じて作動するデッドボルト１４とを備え、前記デッドボルト１４は、前記住宅用ドアＤの端縁に取付けられた化粧カバー１５から前記ロータの回動に応じて出没する。
【００１２】
また前記住宅用ドアＤの内面の前記シリンダ錠１３に対応する部分には、電動駆動手段１６を収容するケーシング１７が、たとえば後付けで取付けられており、この電動駆動手段１６は、前記シリンダ錠１３の前記ロータに連動、連結され、前記シリンダ錠１３を回動操作し得るメカニカルキー１９に付設された携帯器２０から送信される無線信号によって前記ロータを回動せしめて前記ロック機構１２の施錠状態および解錠状態を切換可能である。また前記ケーシング１７の前記住宅用ドアＤとは反対側の面には、前記ロータに連結されるサムターン１８が突出される。
【００１３】
図２において、前記電動駆動手段１６は、ボタン操作による前記携帯器２０からの施錠および解錠を指示する無線信号を受信するアンテナ２２を有する受信部２３と、前記ロック機構１２の施錠状態および解錠状態を切換える動力を発揮する電動モータ２４ならびに前記デッドボルト１４もしくは該デッドボルト１４に連動して作動する部材の位置を検出する位置検出スイッチ２５を含むアクチュエータ２６と、前記受信部２３および前記位置検出スイッチ２５からの信号を受けて前記電動モータ２４の作動を制御するＥＣＵ２７と、前記ＥＣＵ２７および前記電動モータ２４に電力を供給するバッテリ２８とを備える。
【００１４】
図３および図４を併せて参照して、前記ケーシング１７は、前記住宅用ドアＤ側に開放した合成樹脂製のケーシング主体３０と、該ケーシング主体３０の前記住宅用ドアＤ側の開口端部に外周縁部を当接させて前記ケーシング主体３０に取付けられる合成樹脂製の蓋板３１と、前記住宅用ドアＤとは反対側で前記ケーシング主体３０に着脱可能に取付けられる合成樹脂製のバッテリカバー３２とで構成される。
【００１５】
前記ケーシング主体３０は、上下方向に長い横断面形状を有する矩形筒状の側壁部３０ａと、該側壁部３０ａの上下方向に沿う一側半部に配置されて上下方向に延びる平板状に形成されるとともに前記側壁部３０ａの中間部内周に連なる隔壁部３０ｂと、前記側壁部３０ａの上下方向に沿う他側半部に配置されて上下方向に延びる平板状に形成されるとともに前記側壁部３０ａの前記蓋板３１とは反対側の端部に連なる端板部３０ｃと、前記側壁部３０ａの上下方向に沿う中間部に配置されて前記隔壁部３０ｂおよび前記端板部３０ｃ間を連結する連結板部３０ｄとを一体に有するように形成される。
【００１６】
前記バッテリカバー３２は、前記側壁部３０ａの上下方向に沿う一側半部を前記蓋板３１とは反対側から覆うものであり、該バッテリカバー３２の前記端板部３０ｃ側の端部に設けられる複数の係合爪３３…を前記端板部３０ｃの内面側に弾発的に係合することで、該バッテリカバー３２が前記ケーシング主体３０に着脱可能に取付けられる。しかもバッテリカバー３２および前記ケーシング主体３０間にはバッテリ収容室３４が形成されるものであり、このバッテリ収容室３４に、たとえば２個の前記バッテリ２８…が収容される。
【００１７】
一方、蓋板３１および前記ケーシング主体３０間には作動室３５が形成されており、この作動室３５のうち前記蓋板３１および前記端板部３０ｃ間に、前記電動駆動手段１６のうち前記受信部２３および前記ＥＣＵ２７が配設される基板３６と、前記電動駆動手段１６のうち前記電動モータ２４、前記位置検出スイッチ２５および前記アクチュエータ２６を収容して前記基板３６の前記蓋板３１側に配置される収容ケース３７とが収容、固定される。
【００１８】
前記電動モータ２４は、左右方向に延びる水平な回転軸線を有して前記収容ケース３７内に収容、固定される。また前記アクチュエータ２６は、電動駆動手段１６からの動力を前記ロック機構１２側に伝達する伝動軸３８および前記電動モータ２４間に減速ギヤ機構が設けられて成るものであり、前記伝動軸３８は、前記電動モータ２４の回転軸線を含む鉛直平面に直交する中心軸線を有して前記収容ケース３７に回転自在に支承される。また前記収容ケース３７には、前記伝動軸３８を同軸に囲繞して前記住宅用ドアＤ側に突出する短円筒部３７ａが一体に突設されており、その短円筒部３７ａから前記住宅用ドアＤ側に向けて突出する前記伝動軸３８の突出端部には、前記電動駆動手段１６からの動力を前記ロック機構１２側に伝達するための連結軸３９が相対回転不能にして同軸に連結される。また前記収容ケース３７から前記住宅用ドアＤとは反対側に向けて突出する前記伝動軸３８の突出部は前記ケーシング１７における前記端板部３０ｃを回転自在に貫通し、その端板部３０ｃからの前記伝動軸３８の突出端部に前記サムターン１８が相対回転不能に装着される。
【００１９】
前記収容ケース３７には、前記蓋板３１側に突出する位置決め突部４０が突設されており、前記蓋板３１に設けられる位置決め孔４１に前記位置決め突部４０を嵌合することで、前記ケーシング１７内での前記収容ケース３７の位置が定められる。また前記蓋板３１には、前記収容ケース３７の一部を臨ませる開口部４７が設けられる。
【００２０】
また前記電動モータ２４に対応する部分で前記基板３７には、たとえば前記ロック機構１２が施錠状態にあるときに発光する発光ダイオード４２が、前記ケーシング主体３０における前記端板部３０ｃに対向すようにして取付けられる。一方、前記端板部３０ｃの前記発光ダイオード４２に対応する位置には透孔４３が設けられており、前記発光ダイオード４２を覆うように配置されるレンズ４４が、その一部を前記透孔４３に嵌合するようにして前記端板部３０ｃに取付けられる。
【００２１】
ところで前記ケーシング１７の一面１７ａ、この実施の形態では前記ケーシング１７の一部を構成する前記蓋板３１の外面は、前記住宅用ドアＤの内面に当接されるものであり、前記住宅用ドアＤの内面に当接しつつ前記住宅用ドアＤ側に固定される平板状のブラケット板４８に、前記ケーシング１７が取付けられる。しかも前記ケーシング１７は、その一面１７ａの一部が前記ブラケット板４８で覆われるようにして該ブラケット板４８に取付けられるものであり、前記収容ケース３７の短円筒部３７ａを嵌合させる前記ブラケット板４８に、該ブラケット板４８の一部で前記開口部４７が覆われるようにして前記ケーシング１７が着脱可能に取付けられる。
【００２２】
図５を併せて参照して、前記ケーシング１７の上下方向に沿って前記位置決め孔４１とは反対側で前記蓋板３１には、内方側に凹んだ取付け凹部４９を形成する取付け部３１ａが形成され、前記ケーシング１７の上下方向に沿う前記蓋板３１の中間部両側には、上下方向に長い矩形の挿通孔５０，５０（図４参照）が設けられる。また前記ケーシング主体３０における前記隔壁部３０ｂには前記蓋板３１の前記取付け部３１ａに当接するボス部３０ｅが一体に突設され、前記挿通孔５０，５０に対応する部分で前記ケーシング主体３０における前記側壁部３０ａの内面には係合突起５１，５１が一体に突設される。
【００２３】
一方、前記ブラケット板４８には、前記蓋板３１の前記取付け凹部４９に前記住宅用ドアＤ側から収容される取付け突部４８ａと、前記挿通孔５０，５０に前記住宅用ドアＤ側から挿通される係合腕部４８ｂ，４８ｂとが一体に突設されており、それらの係合腕部４８ｂ，４８ｂにそれぞれ設けられる係合孔５２…に前記係合突起５１…を係合するとともに前記取付け部３１ａおよび前記ボス部３０ｅに前記住宅用ドアＤとは反対側から挿通するねじ部材５３を前記取付け部４８ａに螺合して締めつけることで、前記ブラケット板４８に前記ケーシング１７が着脱可能に取付けられることになる。しかもブラケット板４８は、ケーシング１７がブラケット板４８に取付けられた状態で前記ケーシング１７の前記一面１７ａから前記住宅用ドアＤ側に突出することはない。
【００２４】
前記ブラケット板４８には、前記収容ケース３７の短円筒部３７ａを嵌合させる円形の透孔５４が設けられており、前記透孔５４と同軸に配置される前記連結軸３９を囲んで筒状に形成される支持部材５５が、前記ブラケット板４８に取付けられる。
【００２５】
前記透孔５４の左右両側で前記ブラケット板４８には位置決め孔５６，５６が設けられ、前記支持部材５５に一体に設けられる一対の位置決め突部５５ａ…が前記位置決め孔５６…に嵌合される。また前記透孔５４の上下両側で前記ブラケット板４８には挿通孔５７，５７が設けられ、前記住宅用ドアＤと反対側から前記挿通孔５７…にそれぞれ挿通されるねじ部材５８，５８が前記支持部材５５に螺合される。
【００２６】
前記支持部材５５には、その上下に間隔をあけた位置で横方向に延びる固定孔５９，５９が設けられており、住宅用ドアＤ内の前記ロック機構１２に挿入された前記支持部材５５の前記固定孔５９…に、前記ロック機構１２側から止めピン（図示せず）を差し込むことで前記支持部材５５が前記ロック機構１２側に固定され、前記ブラケット板４８が住宅用ドアＤ側に固定されることになる。
【００２７】
図６を併せて参照して、前記ケーシング１７の前記住宅用ドアＤに対向する一面１７ａ、この実施の形態では前記ケーシング１７における前記蓋板３１の外面には、前記ブラケット板４８よりも上方で前記ケーシング１７の上面に開口するとともに前記ブラケット板４８の左右両側で前記ケーシング１７の側面に開口する溝６０が形成される。
【００２８】
この溝６０は、前記ブラケット板４８の上方かつ前記蓋板３１の左右方向中央部に配置されて上下に延びるとともに上端を前記ケーシング１７の上面に開口させた縦溝部６０ａと、該縦溝部６０ａの下端から左右両側に分岐して前記ブラケット板４８の上方で斜め下方に延びる一対の傾斜溝部６０ｂ，６０ｂとから成り、両傾斜溝部６０ｂ，６０ｂの下端が前記ケーシング１７の側面に開口する。
【００２９】
ところで前記ケーシング１７は、前記住宅用ドアＤが右開き用であるか、左開き用であるかによって上下を逆にしつつ前記住宅用ドアＤの内面に当接するようにして前記ロック機構１２に固定されるものであり、前記ケーシング１７の姿勢を図１、図３〜図６で示した姿勢とは上下を逆にしたときに、そのケーシング１７における前記蓋板３１の外面には、前記ブラケット板４８よりも上方で前記ケーシング１７の上面に開口するとともに前記ブラケット板４８の左右両側で前記ケーシング１７の側面に開口する溝６１が形成される。
【００３０】
この溝６１は、前記ブラケット板４８の上方かつ前記蓋板３１の左右方向中央部に配置されて上下に延びるとともに上端を前記ケーシング１７の上面に開口させた縦溝部６１ａと、該縦溝部６１ａの下端から左右両側に分岐して前記ブラケット板４８の上方で斜め下方に延びる一対の傾斜溝部６１ｂ，６１ｂとから成り、両傾斜溝部６１ｂ，６１ｂの下端が前記ケーシング１７の側面に開口する。
【００３１】
ところで前記溝６０，６１は、前記ケーシング１７の上下方向で相互に離隔した位置で該ケーシング１７の側面に開口するように形成されており、前記溝６０における傾斜溝部６０ｂ，６０ｂのケーシング１７の側面への開口端と、前記溝６１における傾斜溝部６１ｂ，６１ｂのケーシング１７の側面への開口端との間で前記ブラケット４８の両側に配置される縦壁部３１ｂ，３１ｂが、前記住宅用ドアＤの内面に当接するようにして前記蓋板３１の外面に形成される。
【００３２】
次にこの実施の形態の作用について説明すると、住宅用ドアＤの内面に当接しつつ住宅用ドアＤ側に固定される平板状のブラケット板４８に、住宅用ドアＤの内面に一面１７ａを当接させるケーシング１７が、前記一面１７ａの一部が前記ブラケット板４８で覆われるようにして取付けられ、ケーシング１７に収容される電動駆動手段１６の一部を構成する伝動軸３８を貫通させる透孔５４が前記ブラケット板４８に設けられるのであるが、前記ブラケット板４８よりも上方で前記ケーシング１７の上面に開口するとともに前記ブラケット板４８の左右両側で前記ケーシング１７の側面に開口する溝６０，６１が前記ケーシング１７の前記一面１７ａに形成されるので、ケーシング１７の上方から住宅用ドアＤの内面を伝ってきた結露や雨水がケーシング１７および住宅用ドアＤ間に達しても、その結露や雨水はブラケット板４８の上方でケーシング１７の一面の溝６０，６１によってケーシング１７の左右両側に案内されることになり、結露や雨水がケーシング１７およびブラケット板４８間の間隙もしくはブラケット板４８の透孔５４からケーシング１７内に浸入することはなく、電動駆動手段１６に結露や雨水による悪影響が及ぶことはない。また溝６０，６１内を空気が流通することによって電動駆動手段１６が発する熱を逃がす放熱効果も期待することができる。
【００３３】
また一対の前記溝６０，６１が、前記ブラケット板４８を上下から挟むようにして前記ケーシング１７の前記一面に形成されるので、右開き用の住宅用ドアＤおよび左開き用の住宅用ドアＤのいずれにも対応させることができる。
【００３４】
以上、本発明の実施の形態について説明したが、本発明は上記実施の形態に限定されるものではなく、特許請求の範囲に記載された本発明を逸脱することなく種々の設計変更を行うことが可能である。
【００３５】
たとえば上記実施の形態では、ブラケット板４８に取付けられる支持部材５５がロック機構１２に固定されることによってブラケット板４８が住宅用ドアＤに固定されるようにしたが、前記ブラケット板４８に設けられる位置決め孔５６，５６をボルト挿通孔として用い、支持部材５５を用いることなくブラケット板４８を住宅用ドアＤの内面に直接締結するようにしてもよい。
【００３６】
また上記実施の形態では前記携帯器２０のボタン操作による施錠および解錠指示によってロック機構１２の施錠状態および解錠状態を切換えるようにしたが、正規のユーザの携帯によってロック機構１２の施錠状態および解錠状態を切換える無線信号を携帯器２０が常時発信するタイプのものであってもよく、また電動駆動手段１６側からのリクエスト信号に応じてロック機構１２の施錠状態および解錠状態を切換える無線信号を携帯器２０が発信する双方向タイプのものであってもよい。
【符号の説明】
【００３７】
１２・・・ロック機構
１６・・・電動駆動手段
１７・・・ケーシング
１７ａ・・・ケーシングの一面
２４・・・電動モータ
３８・・・伝動軸
４８・・・ブラケット板
６０，６１・・・溝
Ｄ・・・住宅用ドア
【図１】
2014084696.tif 000003
【図２】
2014084696.tif 000004
【図３】
2014084696.tif 000005
【図４】
2014084696.tif 000006
【図５】
2014084696.tif 000007
【図６】
2014084696.tif 000008